(57)【要約】      （修正有）【課題】ＶｏＩＰ網装置を網側に設け、一ＩＰアドレスを複数のＩＰ電話加入者間で共用することが可能なＶｏＩＰシステムを提供する。【解決手段】  ＶｏＩＰ網装置１は、ＶｏＩＰサーバ３から、ＩＰ網を介して、着信先特定情報を含むＲｅｑｕｅｓｔ−ＵＲＩを受信し（ステップＳ２２）、この受信した着信先特定情報に基づき、当該着信呼に係る収容回線を特定し、特定した収容回線に対するＩＰ電話の回線接続処理を行う（ステップＳ２３、Ｓ２４）。【選択図】    図４
2006211481.tif 000002
【特許請求の範囲】
【請求項１】
通信網を介して複数の電話端末を収容するＶｏＩＰ網装置であって、
呼を着信するサーバ装置との間でパケットを送受信する通信手段と、
前記サーバ装置から、前記呼が経由すべき通信網を特定する特定情報を含む着信信号を受信する受信手段と、
前記受信した着信信号から、前記特定情報を取得する取得手段と、
前記特定情報に基づき、前記呼が経由すべき通信網を特定する特定手段と、
前記特定した通信網を選択する選択手段と、
を備えたことを特徴とするＶｏＩＰ網装置。
【請求項２】
前記サーバ装置に対し前記特定情報の登録要求を行う登録要求手段を備え、
前記登録要求手段は、前記特定情報を含む登録要求信号を、前記電話端末の登録要求時に前記サーバ装置へ送信する
ことを特徴とする請求項１に記載のＶｏＩＰ網装置。
【請求項３】
前記通信網は加入者電話回線であり、
アナログ電話回線またはＩＳＤＮ電話回線の音声および信号方式との相互変換を前記呼に対し行なう変換手段を備える
ことを特徴とする請求項１又は２に記載のＶｏＩＰ網装置。
【請求項４】
前記通信網は、プライベートＩＰアドレスが付与されたプライベートＩＰ網の各々に対応して設けられ、
グローバルＩＰアドレスが付与されたグローバルＩＰ網からの前記呼に対しグローバルＩＰアドレスとプライベートＩＰアドレスの相互変換を行うＩＰアドレス変換手段を備える
ことを特徴とする請求項１又は２に記載のＶｏＩＰ網装置。
【請求項５】
請求項１から４のいずれかの項に記載のＶｏＩＰ網装置と、
呼を着信するサーバ装置と、
を備えたことを特徴とするＶｏＩＰシステム。
【請求項６】
前記サーバ装置は、前記ＶｏＩＰ網装置から、特定情報を含む登録要求信号を電話端末の登録要求時に受信し、受信した特定情報を当該電話端末の識別情報に関連付けてデータベースに登録することを特徴とする請求項５に記載のＶｏＩＰシステム。
【請求項７】
通信網を介して複数の電話端末を収容するＶｏＩＰ網装置におけるＶｏＩＰ制御方法であって、
呼を着信するサーバ装置から、前記呼が経由すべき通信網を特定する特定情報を含む着信信号を受信する過程と、
前記受信した着信信号から、前記特定情報を取得する過程と、
前記特定情報に基づき、前記呼が経由すべき通信網を特定する過程と、
前記特定した通信網を選択する過程と、
を含むことを特徴とするＶｏＩＰ制御方法。
【請求項８】
前記特定情報を含む登録要求信号を、前記電話端末の登録要求時に前記サーバ装置へ送信する過程をさらに含むことを特徴とする請求項７に記載のＶｏＩＰ制御方法。
【発明の詳細な説明】
【技術分野】
【０００１】
本発明は、ＶｏＩＰ（Voice over Internet Protocol）システム、ＶｏＩＰ網装置およびＶｏＩＰ制御方法に関する。
【背景技術】
【０００２】
近年、ＶｏＩＰを用いたＩＰ（Internet Protocol）電話が普及してきている。図８は、従来のＶｏＩＰシステムの構成例を示すブロック図である。図８において、ＶｏＩＰ宅内装置１０１は、ＩＰ電話サービスを実現するためのクライアント機能を有し、各ＩＰ電話加入者ごとにＩＰ電話加入者側に設けられる。ＶｏＩＰサーバ３は、ＩＰ電話サービスを実現するためのサーバ機能を有し、ＩＰ電話事業者によって設けられる。
【０００３】
ＶｏＩＰ宅内装置１０１およびＶｏＩＰサーバ３は、ＩＰ電話アプリケーションの一シグナリング方式として知られるＳＩＰ（Session Initiation Protocol）を実現する機能を有する。ＳＩＰは、ＩＥＴＦ（Internet Engineering Task Force）のＲＦＣ（Request For Comment）３２６１で規定されている。
【０００４】
ＶｏＩＰ宅内装置１０１およびＶｏＩＰサーバ３は、それぞれＩＰ網２に接続されており、相互にパケットを送受信する。ＶｏＩＰ宅内装置１０１にはＩＰ網２内で利用可能な一ＩＰアドレスが静的又は動的に一意に割当てられる。ＶｏＩＰサーバ３は、ＩＰ電話加入者を登録するユーザデータベース（ユーザＤＢ）４を有する。ユーザＤＢ４に記憶される各ＩＰ電話加入者の登録情報は、ＩＰ電話の電話番号、ダイヤルイン番号などから成る。ダイヤルイン番号は、ＩＰ電話から内線電話等を指定して接続するときの着信先の番号であり、必須ではない。コンタクトアドレスは、当該ＩＰ電話加入者の識別情報と、当該ＩＰ電話加入者のＶｏＩＰ宅内装置１０１に割当てられたＩＰアドレスとから成る。コンタクトアドレスは、ＶｏＩＰ宅内装置１０１のＩＰアドレスが変更される度に、ＶｏＩＰ宅内装置１０１からＶｏＩＰサーバ３に動的に再登録され、上記ＩＰ電話加入者の登録情報と関連付けてユーザＤＢ４に記憶される。
【０００５】
図８の例では、ＩＰ電話加入者（ユーザＡ）はＶｏＩＰ宅内装置１０１を設けている。このＶｏＩＰ宅内装置１０１には、ＩＰ網２内で利用可能なＩＰアドレス「１０．０．０．１」が割当てられている。但し、この例のＩＰアドレス値は、説明の便宜上のものである。また、ＩＰ電話加入者は、ＶｏＩＰ宅内装置１０１にＰＢＸ（Private Branch eXchange）６ａを複数の回線１０２で接続し、内線電話網を構築している。ＰＢＸ６ａには複数の内線電話機１０３が接続される。ユーザＡはユーザＤＢ４に登録されている。このユーザＡの登録情報は、ＩＰ電話の電話番号と内線電話網へのダイヤルイン番号の組合せ等から成る。例えば、ＩＰ電話の電話番号「０５０−ｘｘｘｘ−ｙｙｙｙ」に対応するダイヤルイン番号は「ｙｙｙｙ」である。また、ユーザＡのコンタクトアドレスは、ＶｏＩＰ宅内装置１０１が生成し、例えば、ユーザ識別情報「ｕｓｅｒＡ」とＶｏＩＰ宅内装置１０１のＩＰアドレス「１０．０．０．１」とから成る「ｓｉｐ：ｕｓｅｒＡ＠１０．０．０．１」として、ＶｏＩＰサーバ３に動的に登録する。なお、ＶｏＩＰ宅内装置１０１のＩＰアドレスが変ると、変更後のＩＰアドレスを有するコンタクトアドレスの再登録が行われる。
【０００６】
図９は、図８に示す従来のＶｏＩＰシステムにおけるシグナリングに係る動作を示すシーケンス図である。図９において、ＶｏＩＰ宅内装置１０１は、ＶｏＩＰサーバ３に対してユーザＡの登録要求を行う（ステップＳ１０１）。この登録要求時に、ＶｏＩＰ宅内装置１０１は、ユーザＡのコンタクトアドレス「ｓｉｐ：ｕｓｅｒＡ＠１０．０．０．１」をＶｏＩＰサーバ３に送信する。ＶｏＩＰサーバ３は、ユーザＡの登録要求を受信すると、受信したコンタクトアドレス「ｓｉｐ：ｕｓｅｒＡ＠１０．０．０．１」によってユーザＤＢ４内のユーザＡと関連づけて記憶するコンタクトアドレスを書き換える。
【０００７】
次いで、ＶｏＩＰサーバ３は、着信があると、当該着信番号「０５０−ｘｘｘｘ−ｙｙｙｙ」に対応するダイヤルイン番号「ｙｙｙｙ」およびコンタクトアドレス「ｓｉｐ：ｕｓｅｒＡ＠１０．０．０．１」をユーザＤＢ４から取得する（ステップＳ１１１）。次いで、そのコンタクトアドレス「ｓｉｐ：ｕｓｅｒＡ＠１０．０．０．１」中のユーザ識別情報「ｕｓｅｒＡ」をダイヤルイン番号「ｙｙｙｙ」に書き換え、この書き換え後の「ｓｉｐ：ｙｙｙｙ＠１０．０．０．１」をＲｅｑｕｅｓｔ−ＵＲＩとしてＶｏＩＰ宅内装置１０１に送信する（ステップＳ１１２）。このときの送信パケットの宛先アドレスには、当該コンタクトアドレス「ｓｉｐ：ｕｓｅｒＡ＠１０．０．０．１」中のＩＰアドレス「１０．０．０．１」を使用する。
【０００８】
次いで、ＶｏＩＰ宅内装置１０１は、そのＲｅｑｕｅｓｔ−ＵＲＩ「ｓｉｐ：ｙｙｙｙ＠１０．０．０．１」を受信すると、空きの回線１０２の検出を行う（ステップＳ１１３）。この結果、空きの回線１０２が検出されると、当該回線１０２と当該着信のＩＰ電話回線とを接続する（ステップＳ１１４）。次いで、Ｒｅｑｕｅｓｔ−ＵＲＩ「ｓｉｐ：ｙｙｙｙ＠１０．０．０．１」からダイヤルイン番号「ｙｙｙｙ」を抽出し、このダイヤルイン番号「ｙｙｙｙ」を該接続した回線１０２に送出する（ステップＳ１１５）。これにより、ＰＢＸ６ａは、ダイヤルイン番号「ｙｙｙｙ」を受信した回線１０２とダイヤルイン番号「ｙｙｙｙ」に対応する内線電話機１０３を接続し、該内線電話機１０３にＩＰ電話からの呼が着信する。
【特許文献１】特開２００１−１２７８８３号公報
【発明の開示】
【発明が解決しようとする課題】
【０００９】
しかし、上述した従来のＶｏＩＰシステムでは、各ＩＰ電話加入者ごとにＶｏＩＰ宅内装置を設ける必要があるので、ＩＰ電話加入者に対してその負担を受け入れてもらわねばならない。また、一ＩＰ電話加入者に対して一ＩＰアドレスが必要であり、ＩＰアドレスの利用効率がよろしくない。
【００１０】
このような理由から、ＩＰ電話サービスを実現するためのクライアント機能を有する装置（ＶｏＩＰ網装置）をＩＰ電話事業者が網側に設け、さらに一ＩＰアドレスを複数のＩＰ電話加入者間で共用することが望ましい。このため、ＶｏＩＰサーバは、複数のＩＰ電話加入者に係る各々の着信呼を同一ＩＰアドレスによりその収容先の一ＶｏＩＰ網装置に通知することになる。ここで、ＶｏＩＰ網装置は、ＶｏＩＰサーバから通知される着信呼に関し、その着信先のＩＰ電話加入者に対してＩＰ電話回線を接続する回線をどのようにして特定するのかが課題となる。
【００１１】
例えば、上記した図８の例のようにＩＰ電話をダイヤルイン番号を指定して接続させるＩＰ電話加入者が複数存在した場合において、図９の例のようにユーザＡに係るＩＰ電話の着信があったときを想定する。このとき、ＶｏＩＰサーバは、ＩＰ電話の着信呼を、その着信番号「０５０−ｘｘｘｘ−ｙｙｙｙ」に対応するダイヤルイン番号「ｙｙｙｙ」およびＶｏＩＰ網装置のＩＰアドレス「１０．０．０．１」から成るＲｅｑｕｅｓｔ−ＵＲＩ「ｓｉｐ：ｙｙｙｙ＠１０．０．０．１」によってＶｏＩＰ網装置に通知する（図９のステップＳ１１２に相当）。しかしながら、このＲｅｑｕｅｓｔ−ＵＲＩ「ｓｉｐ：ｙｙｙｙ＠１０．０．０．１」からでは、ＶｏＩＰ網装置は着信先のＩＰ電話加入者を特定することができない。なぜならば、ダイヤルイン番号「ｙｙｙｙ」は、ＩＰ電話加入者間で重複可能なため、ＩＰ電話加入者の回線識別に利用することはできないからである。したがって、ダイヤルイン番号「ｙｙｙｙ」を送出すべきＩＰ電話加入者の回線、つまり、当該ＩＰ電話回線を接続する先のＩＰ電話加入者側の回線を特定することができない。
【００１２】
本発明は、このような事情を考慮してなされたもので、その目的は、ＶｏＩＰ網装置を網側に設け、さらに一ＩＰアドレスを複数のＩＰ電話加入者間で共用することが可能なＶｏＩＰシステムを提供することにある。
【００１３】
また、本発明の他の目的は、本発明のＶｏＩＰシステムに適用可能なＶｏＩＰ網装置およびＶｏＩＰ制御方法を提供することにある。
【課題を解決するための手段】
【００１４】
上記の課題を解決するために、本発明に係るＶｏＩＰ網装置は、通信網を介して複数の電話端末を収容するＶｏＩＰ網装置であって、呼を着信するサーバ装置との間でパケットを送受信する通信手段と、前記サーバ装置から、前記呼が経由すべき通信網を特定する特定情報を含む着信信号を受信する受信手段と、前記受信した着信信号から、前記特定情報を取得する取得手段と、前記特定情報に基づき、前記呼が経由すべき通信網を特定する特定手段と、前記特定した通信網を選択する選択手段とを備えたことを特徴とする。
【００１５】
本発明に係るＶｏＩＰ網装置においては、前記サーバ装置に対し前記特定情報の登録要求を行う登録要求手段を備え、前記登録要求手段は、前記特定情報を含む登録要求信号を、前記電話端末の登録要求時に前記サーバ装置へ送信することを特徴とする。
【００１６】
本発明に係るＶｏＩＰ網装置においては、前記通信網は加入者電話回線であり、アナログ電話回線またはＩＳＤＮ電話回線の音声および信号方式との相互変換を前記呼に対し行なう変換手段を備えることを特徴とする。
【００１７】
本発明に係るＶｏＩＰ網装置においては、前記通信網は、プライベートＩＰアドレスが付与されたプライベートＩＰ網の各々に対応して設けられ、グローバルＩＰアドレスが付与されたグローバルＩＰ網からの前記呼に対しグローバルＩＰアドレスとプライベートＩＰアドレスの相互変換を行うＩＰアドレス変換手段を備えることを特徴とする。
【００１８】
本発明に係るＶｏＩＰシステムは、請求項１から４のいずれかの項に記載のＶｏＩＰ網装置と、呼を着信するサーバ装置とを備えたことを特徴とする。
【００１９】
本発明に係るＶｏＩＰシステムにおいては、前記サーバ装置は、前記ＶｏＩＰ網装置から、特定情報を含む登録要求信号を電話端末の登録要求時に受信し、受信した特定情報を当該電話端末の識別情報に関連付けてデータベースに登録することを特徴とする。
【００２０】
本発明に係るＶｏＩＰ制御方法は、通信網を介して複数の電話端末を収容するＶｏＩＰ網装置におけるＶｏＩＰ制御方法であって、呼を着信するサーバ装置から、前記呼が経由すべき通信網を特定する特定情報を含む着信信号を受信する過程と、前記受信した着信信号から、前記特定情報を取得する過程と、前記特定情報に基づき、前記呼が経由すべき通信網を特定する過程と、前記特定した通信網を選択する過程とを含むことを特徴とする。
【００２１】
本発明に係るＶｏＩＰ制御方法においては、前記特定情報を含む登録要求信号を、前記電話端末の登録要求時に前記サーバ装置へ送信する過程をさらに含むことを特徴とする。
【発明の効果】
【００２２】
本発明によれば、一ＩＰアドレスが割当てられるＶｏＩＰ網装置によって複数のＩＰ電話加入者を収容し、サーバ装置から通知された着信信号中の特定情報に基づき、当該着信呼に係る接続先の通信網を特定することができる。これにより、ＶｏＩＰ網装置を網側に設け、さらに一ＩＰアドレスを複数のＩＰ電話加入者間で共用することが可能なＶｏＩＰシステムを提供することができる。
【発明を実施するための最良の形態】
【００２３】
以下、図面を参照し、本発明の各実施形態について説明する。
［第１実施形態］
図１は、本発明の第１実施形態に係るＶｏＩＰシステムの構成を示すブロック図である。このＶｏＩＰシステムは、例えばアナログ電話加入者回線やＩＳＤＮ電話回線などの電話加入者回線を利用して電話加入者を収容し、ＩＰ電話サービスを提供するためのシステムである。このシステムによれば、電話加入者は既存の電話加入者宅内装置をそのまま使用することができるという利点ともに、安価なＩＰ電話サービスを享受することができる。
【００２４】
図１において、ＶｏＩＰ網装置１は、ＩＰ電話サービスを実現するためのクライアント機能を有する。ＶｏＩＰ網装置１は、複数の電話加入者を収容するものであり、網側に設けられている。ＶｏＩＰ網装置１には、電話加入者回線５−１〜ｎ（以下、特に区別しないときは「電話加入者回線５」と称する）が接続されている。例えばアナログ電話加入者回線やＩＳＤＮ電話回線などである。電話加入者の電話加入者宅内装置６は、自電話加入者用の電話加入者回線５に接続されている。電話加入者宅内装置６は、例えば、電話機やＰＢＸなどである。
【００２５】
ＶｏＩＰサーバ３は、ＩＰ電話サービスを実現するためのサーバ機能を有し、ＩＰ電話事業者によって設けられる。
【００２６】
ＶｏＩＰ網装置１およびＶｏＩＰサーバ３は、ＳＩＰを実現する機能を有し、このＳＩＰを用いてＩＰ電話のシグナリングを行う。
【００２７】
ＶｏＩＰ網装置１およびＶｏＩＰサーバ３は、それぞれＩＰ網２に接続されており、相互にパケットを送受信する。ＶｏＩＰ網装置１にはＩＰ網２内で利用可能な一ＩＰアドレスが静的又は動的に一意に割当てられる。
【００２８】
ＶｏＩＰサーバ３は、電話加入者を登録するユーザデータベース（ユーザＤＢ）４を有する。図２は、ユーザＤＢ４に記憶される電話加入者の登録情報の一例を示す図である。図２に示されるように、ユーザＤＢ４に記憶される各電話加入者の登録情報は、電話番号、ダイヤルイン番号などから成る。
【００２９】
本実施形態では、コンタクトアドレスは、ユーザ識別情報と、該ＩＰ電話加入者が収容されるＶｏＩＰ網装置１に割当てられたＩＰアドレスと、該ＩＰ電話加入者用の電話加入者回線５（物理回線）を特定可能な着信先特定情報とから成る。具体的には、コンタクトアドレスは、
［ｓｉｐ：「ユーザ識別情報」＠「ＶｏＩＰ網装置のＩＰアドレス」；「Ｃｏｎｔａｃｔ−ｐａｒａｍ」＝「着信先特定情報」］、
として定義する。但し、「Ｃｏｎｔａｃｔ−ｐａｒａｍ」はパラメータ名である。コンタクトアドレスは、ＶｏＩＰ網装置１のＩＰアドレスが変更される度に再登録される。
【００３０】
また、電話加入者の登録情報に含めるダイヤルイン番号は、ダイヤルイン接続するときの着信先の番号（内線番号）である。
【００３１】
図２の例では、電話加入者（ユーザＡ）は、電話加入者宅内装置６としてＰＢＸを電話加入者回線５に接続し、ＩＰ電話と内線電話を接続するようにしている。ＰＢＸに接続する電話加入者回線５は、上記図８と同様に、複数であってもよい。また、ＰＢＸには複数の内線電話機が接続される。各内線電話機にはそれぞれダイヤルイン番号が割当てられている。ＶｏＩＰ網装置１には、ＩＰ網２内で利用可能なＩＰアドレス「１０．０．０．１」が割当てられている。但し、この例のＩＰアドレス値は、説明の便宜上のものである。
【００３２】
ユーザＡは図２に示されるようにユーザＤＢ４に登録されている。このユーザＡの登録情報は、ＩＰ電話の電話番号と内線電話網へのダイヤルイン番号の組合せ等から成る。ユーザＡのコンタクトアドレスは、ユーザ識別情報「ｕｓｅｒＡ」とＶｏＩＰ網装置１のＩＰアドレス「１０．０．０．１」と、着信先特定情報「Ｃｏｎｔａｃｔ−ｐａｒａｍ＝着信先特定情報「ｌｉｎｅ１」」とから成る「ｓｉｐ：ｕｓｅｒＡ＠１０．０．０．１；Ｃｏｎｔａｃｔ−ｐａｒａｍ＝ｌｉｎｅ１」であり、ＶｏＩＰサーバ３において、ユーザＡの登録情報と関連付けて記憶される。着信先特定情報「ｌｉｎｅ１」は、特定の電話加入者回線５を指すものであり、例えば電話加入者回線５−１を指す。
そして、ＶｏＩＰ網装置１のＩＰアドレスが変ると、変更後のＩＰアドレスを有するコンタクトアドレスの再登録が行われる。
【００３３】
また、図２の例では、電話番号「０５０−ｘｘｘｘ−ｙｙｙｙ」に対応するダイヤルイン番号は「ｙｙｙｙ」である。電話番号とダイヤルイン番号の組合せは、複数の登録が可能であり、電話の契約時に初期登録が行われ、これ以降は随時、追加、削除、変更が行われる。
【００３４】
図３は、本発明の第１実施形態に係るＶｏＩＰ網装置１の構成を示すブロック図である。図３において、ルータ１１はＩＰ網２を経由するパケットのルーティングを行う。アナログ−ＩＰ変換部１２は、ＩＰ電話とアナログ電話又はＩＳＤＮ電話との間の音声信号およびシグナリング方式の相互変換を行う。交換部１３は、Ａポート側の回線Ａ−１〜ｍとＢポート側の回線Ｂ−１〜ｎを任意に接続する。Ａポート側の回線Ａ−１〜ｍは、アナログ−ＩＰ変換部１２に接続されている。加入者回路１４は、電話加入者回線５−１〜ｎの各々に対応して設けられており、それぞれ交換部１３にＢポート側の回線Ｂ−１〜ｎを介して接続されている。制御部１５は、アナログ−ＩＰ変換部１２から回線接続情報を受け取り、交換部１３を制御する。登録部１６は、ＶｏＩＰサーバ３に対するコンタクトアドレスの登録要求を行う。
【００３５】
上記アナログ−ＩＰ変換部１２は、ＶｏＩＰサーバ３との間でＶｏＩＰパケットを送受信し、ＩＰ電話回線の確立処理を行う。そして、ＩＰ電話回線の呼と電話加入者回線５の呼を接続する処理を行う。また、その呼接続に係る回線接続情報を制御部１５に出力する。
【００３６】
上記登録部１６は、ＶｏＩＰサーバ３との間でコンタクトアドレス登録に係るパケットを送受信し、コンタクトアドレスの登録要求処理を行う。
【００３７】
図４は、上記図１に示す本発明の第１実施形態に係るＶｏＩＰシステムにおけるシグナリングに係る動作を示すシーケンス図である。ここでは、上記した図２のユーザＡに係る例を用いて説明する。
図４において、ＶｏＩＰ網装置１の登録部１６は、ＶｏＩＰサーバ３に対してユーザＡのコンタクトアドレスの登録要求を行う（ステップＳ１１）。この登録要求時に、登録部１６は、ユーザＡのコンタクトアドレス「ｓｉｐ：ｕｓｅｒＡ＠１０．０．０．１；Ｃｏｎｔａｃｔ−ｐａｒａｍ＝ｌｉｎｅ１」をＶｏＩＰサーバ３に送信する。着信先特定情報「ｌｉｎｅ１」は、電話加入者回線５−１を指すものとする。ＶｏＩＰサーバ３は、ユーザＡの登録要求を受信すると、受信したコンタクトアドレス「ｓｉｐ：ｕｓｅｒＡ＠１０．０．０．１；Ｃｏｎｔａｃｔ−ｐａｒａｍ＝ｌｉｎｅ１」によってユーザＤＢ４内のユーザＡの情報と関連付けて記憶しているコンタクトアドレスを書き換える。
【００３８】
次いで、ＶｏＩＰサーバ３は、着信があると、当該着信番号「０５０−ｘｘｘｘ−ｙｙｙｙ」に対応するダイヤルイン番号「ｙｙｙｙ」およびコンタクトアドレス「ｓｉｐ：ｕｓｅｒＡ＠１０．０．０．１；Ｃｏｎｔａｃｔ−ｐａｒａｍ＝ｌｉｎｅ１」をユーザＤＢ４から取得する（ステップＳ２１）。次いで、そのコンタクトアドレス「ｓｉｐ：ｕｓｅｒＡ＠１０．０．０．１；Ｃｏｎｔａｃｔ−ｐａｒａｍ＝ｌｉｎｅ１」中のユーザ識別情報「ｕｓｅｒＡ」をダイヤルイン番号「ｙｙｙｙ」に書き換え、この書き換え後の「ｓｉｐ：ｙｙｙｙ＠１０．０．０．１；Ｃｏｎｔａｃｔ−ｐａｒａｍ＝ｌｉｎｅ１」をＲｅｑｕｅｓｔ−ＵＲＩとしてＶｏＩＰ網装置１に送信する（ステップＳ２２）。このときの送信パケットの宛先アドレスには、当該コンタクトアドレス「ｓｉｐ：ｕｓｅｒＡ＠１０．０．０．１；Ｃｏｎｔａｃｔ−ｐａｒａｍ＝ｌｉｎｅ１」中のＩＰアドレス「１０．０．０．１」を使用する。
【００３９】
次いで、ＶｏＩＰ網装置１のアナログ−ＩＰ変換部１２は、そのＲｅｑｕｅｓｔ−ＵＲＩ「ｓｉｐ：ｙｙｙｙ＠１０．０．０．１；Ｃｏｎｔａｃｔ−ｐａｒａｍ＝ｌｉｎｅ１」を受信すると、該着信通知情報中の着信先特定情報「ｌｉｎｅ１」を抽出する（ステップＳ２３）。
【００４０】
次いで、ステップＳ２４の回線接続処理が行われる。この回線接続処理では、先ず、アナログ−ＩＰ変換部１２は、交換部１３のＡポート側の回線Ａ−１〜ｍの中の空きの一回線を当該着信呼のＩＰ電話回線の接続用に割当てる。この例では回線Ａ−１を割当てたとする。回線Ａ−１の回線番号は「Ａ−１」である。そして、アナログ−ＩＰ変換部１２は、着信先特定情報「ｌｉｎｅ１」とその割当てたＡポート側の回線Ａ−１の回線番号「Ａ−１」とを回線接続情報として制御部１５に出力する。
【００４１】
次いで、制御部１５は、その回線接続情報に基づき、交換部１３のＢポート側の回線Ｂ−１とＡポート側の回線Ａ−１とを接続するように、交換部１３に指示する。交換部１３のＢポート側の回線Ｂ−１は、着信先特定情報「ｌｉｎｅ１」が指す電話加入者回線５−１に対応している。その回線接続指示を受けると、交換部１３は、Ｂポート側の回線Ｂ−１とＡポート側の回線Ａ−１とを接続する。また、制御部１５は、回線接続完了をアナログ−ＩＰ変換部１２に通知する。これにより、当該着信呼に係る回線接続が完了する。
【００４２】
次いで、アナログ−ＩＰ変換部１２は、Ｒｅｑｕｅｓｔ−ＵＲＩ「ｓｉｐ：ｙｙｙｙ＠１０．０．０．１；Ｃｏｎｔａｃｔ−ｐａｒａｍ＝ｌｉｎｅ１」からダイヤルイン番号「ｙｙｙｙ」を抽出し、このダイヤルイン番号「ｙｙｙｙ」を交換部１３のＡポート側の回線Ａ−１に送出する（ステップＳ２５）。これにより、該ダイヤルイン番号「ｙｙｙｙ」は、電話加入者回線５−１に送出され、ユーザＡの電話加入者宅内装置６（ＰＢＸ）により受信される。そして、該ＰＢＸは、ダイヤルイン番号「ｙｙｙｙ」を受信した電話加入者回線５−１とダイヤルイン番号「ｙｙｙｙ」に対応する内線電話機を接続し、該内線電話機にＩＰ電話からの呼が着信する。
【００４３】
上述した第１実施形態によれば、着信先特定情報を含むコンタクトアドレスをＶｏＩＰ網装置１がＶｏＩＰサーバ３に登録することにより、着信時にＶｏＩＰ網装置１は、ＶｏＩＰサーバ３から通知されたＲｅｑｕｅｓｔ−ＵＲＩ中の着信先特定情報に基づき、接続する先の電話加入者回線５（物理回線）を特定することができる。
【００４４】
上述したように、本実施形態に係るＶｏＩＰシステムによれば、ＩＰ電話サービスを実現するためのクライアント機能を有するＶｏＩＰ網装置を網側に設け、さらに一ＩＰアドレスを複数のＩＰ電話加入者間で共用することが可能となる。
【００４５】
［第２実施形態］
図５は、本発明の第２実施形態に係るＶｏＩＰシステムの構成を示すブロック図である。このＶｏＩＰシステムは、プライベートＩＰアドレスを用いるＩＰ網内のＩＰ電話加入者を収容し、グローバルなＩＰ電話サービスを提供するためのシステムである。
【００４６】
図５において、ＶｏＩＰ網装置３０は、グローバルＩＰアドレスを用いるＩＰ網２と、プライベートＩＰアドレスを用いる複数のＩＰ網４０−１〜ｎ（以下、特に区別しないときは「ＩＰ網４０」と称する）とに接続されている。ＶｏＩＰ網装置３０は、グローバルＩＰアドレスとプライベートＩＰアドレスの相互変換を行う機能を有し、ＩＰ網２とＩＰ網４０間のＶｏＩＰパケットの相互転送を行う。ＩＰ網２には、上記図１と同様にＶｏＩＰサーバ３が接続されている。また、ＶｏＩＰサーバ３及びユーザＤＢ４は上記第１実施形態と同様の構成であり、その説明を省略する。
【００４７】
ＶｏＩＰ網装置３０と各ＩＰ網４０−１〜ｎは、それぞれ通信回線５０−１〜ｎ（以下、特に区別しないときは「通信回線５０」と称する）で接続される。通信回線５０は、ＩＰパケットの伝送が可能なものであればよく、その種類は特に限定されない。
【００４８】
ＩＰ網４０にはＶｏＩＰ端末６０が接続されている。ＶｏＩＰ端末６０はＩＰ電話サービスを実現するためのクライアント機能を有する。ＶｏＩＰ端末６０には接続先のＩＰ網４０内で利用可能な一ＩＰアドレスが静的又は動的に一意に割当てられる。ただし、例えばＩＰ網４０−１とＩＰ網４０−２の間では、ＩＰアドレスは一意ではなく、重複している可能性もある。
【００４９】
図６は、本発明の第２実施形態に係るＶｏＩＰ網装置３０の構成を示すブロック図である。図６において、ルータ１１はＩＰ網２を経由するパケットのルーティングを行う。ＩＰアドレス変換部３１は、ＶｏＩＰパケットに係るグローバルＩＰアドレスとプライベートＩＰアドレスの相互変換を行う。ルータ３２は、通信回線５０−１〜ｎの各々に対応して設けられており、それぞれＩＰアドレス変換部３１に回線Ｃ−１〜ｎを介して接続されている。制御部３３は、ＩＰアドレス変換部３１から回線接続情報を受け取り、回線Ｃ−１〜ｎの中からＶｏＩＰパケットの送出先である一回線をＩＰアドレス変換部３１に指示する。登録部１６は、ＶｏＩＰ端末６０からのコンタクトアドレス登録要求をＩＰアドレス変換部３１から受け取り、ＶｏＩＰサーバ３に対するコンタクトアドレスの登録要求を行う。
【００５０】
図７は、上記図５に示す本発明の第２実施形態に係るＶｏＩＰシステムにおけるシグナリングに係る動作を示すシーケンス図である。ここでは、上記した図２のユーザＡに係る例を用いて説明する。なお、本実施形態では、ユーザＡはＶｏＩＰ端末６０をＩＰ網４０−１に接続してＩＰ電話を利用している。ＩＰ網４０−１は、通信回線５０−１を介してＶｏＩＰ網装置３０に接続されている。また、ＶｏＩＰ網装置３０には、ＩＰ網２内で利用可能なＩＰアドレス「１０．０．０．１」が割当てられている。但し、この例のＩＰアドレス値は、説明の便宜上のものである。
【００５１】
図７において、ＶｏＩＰ網装置３０の登録部３４は、ユーザＡのＶｏＩＰ端末６０からのユーザ登録要求を受信する（ステップＳ１０）。このユーザ登録要求には、コンタクトアドレス「ｓｉｐ：ｕｓｅｒＡ＠１９２．１６８．０．１」が付加されている。このコンタクトアドレス中のＩＰアドレス「１９２．１６８．０．１」は、当該ＶｏＩＰ端末６０に割当てられたプライベートＩＰアドレスである。但し、この例のＩＰアドレス値は、説明の便宜上のものである。
【００５２】
次いで、登録部３４は、ＶｏＩＰサーバ３に対してユーザＡの登録要求を行う（ステップＳ１１）。この登録要求時に、登録部３４は、ユーザＡのコンタクトアドレスとして、「ｓｉｐ：ｕｓｅｒＡ＠１０．０．０．１；Ｃｏｎｔａｃｔ−ｐａｒａｍ＝ｌｉｎｅ１」をＶｏＩＰサーバ３に送信する。着信先特定情報「ｌｉｎｅ１」は、通信回線５０−１を指すものとする。ＶｏＩＰサーバ３は、ユーザＡの登録要求を受信すると、受信したコンタクトアドレス「ｓｉｐ：ｕｓｅｒＡ＠１０．０．０．１；Ｃｏｎｔａｃｔ−ｐａｒａｍ＝ｌｉｎｅ１」によってユーザＤＢ４内のユーザＡの登録情報と関連付けて記憶するコンタクトアドレスを書き換える。
【００５３】
次いで、ＶｏＩＰサーバ３は、着信があると、当該着信番号「０５０−ｘｘｘｘ−ｙｙｙｙ」に対応するダイヤルイン番号「ｙｙｙｙ」およびコンタクトアドレス「ｓｉｐ：ｕｓｅｒＡ＠１０．０．０．１；Ｃｏｎｔａｃｔ−ｐａｒａｍ＝ｌｉｎｅ１」をユーザＤＢ４から取得する（ステップＳ２１）。次いで、そのコンタクトアドレス「ｓｉｐ：ｕｓｅｒＡ＠１０．０．０．１；Ｃｏｎｔａｃｔ−ｐａｒａｍ＝ｌｉｎｅ１」中のユーザ識別情報「ｕｓｅｒＡ」をダイヤルイン番号「ｙｙｙｙ」に書き換え、この書き換え後の「ｓｉｐ：ｙｙｙｙ＠１０．０．０．１；Ｃｏｎｔａｃｔ−ｐａｒａｍ＝ｌｉｎｅ１」をＲｅｑｕｅｓｔ−ＵＲＩとしてＶｏＩＰ網装置１に送信する（ステップＳ２２）。このときの送信パケットの宛先アドレスには、当該コンタクトアドレス「ｓｉｐ：ｕｓｅｒＡ＠１０．０．０．１；Ｃｏｎｔａｃｔ−ｐａｒａｍ＝ｌｉｎｅ１」中のＩＰアドレス「１０．０．０．１」を使用する。
【００５４】
次いで、ＶｏＩＰ網装置３０のＩＰアドレス変換部３１は、そのＲｅｑｕｅｓｔ−ＵＲＩ「ｓｉｐ：ｙｙｙｙ＠１０．０．０．１；Ｃｏｎｔａｃｔ−ｐａｒａｍ＝ｌｉｎｅ１」を受信すると、該Ｒｅｑｕｅｓｔ−ＵＲＩ中の着信先特定情報「ｌｉｎｅ１」を抽出する（ステップＳ２３）。
【００５５】
次いで、ステップＳ２４の回線接続処理が行われる。この回線接続処理では、先ず、ＩＰアドレス変換部３１は、着信先特定情報「ｌｉｎｅ１」を回線接続情報として制御部３３に出力する。次いで、制御部３３は、その回線接続情報に基づき、ＶｏＩＰパケットの送出先の回線として回線Ｃ−１をＩＰアドレス変換部３１に指示する。回線Ｃ−１は、着信先特定情報「ｌｉｎｅ１」が指す通信回線５０−１に対応している。その回線接続指示を受けると、ＩＰアドレス変換部３１は、当該着信呼に用いるパケット送出先の回線として回線Ｃ−１を設定する。これにより、当該着信呼に係る回線接続が完了する。
【００５６】
次いで、ＩＰアドレス変換部３１は、Ｒｅｑｕｅｓｔ−ＵＲＩ「ｓｉｐ：ｙｙｙｙ＠１０．０．０．１；Ｃｏｎｔａｃｔ−ｐａｒａｍ＝ｌｉｎｅ１」中のＩＰアドレス「１０．０．０．１」をユーザＡのＩＰアドレス「１９２．１６８．０．１」に変換し、さらに着信先特定情報「Ｃｏｎｔａｃｔ−ｐａｒａｍ＝ｌｉｎｅ１」を削除してＲｅｑｕｅｓｔ−ＵＲＩ「ｓｉｐ：ｙｙｙｙ＠１９２．１６８．０．１」を作成する（ステップＳ３１）。そして、そのＲｅｑｕｅｓｔ−ＵＲＩを回線Ｃ−１に送出する（ステップＳ３２）。このときの送信パケットの宛先アドレスには、ユーザＡのＩＰアドレス「１９２．１６８．０．１」を用いる。これにより、該Ｒｅｑｕｅｓｔ−ＵＲＩ「ｓｉｐ：ｙｙｙｙ＠１９２．１６８．０．１」は、通信回線５０−１に送出され、ユーザＡのＶｏＩＰ端末６０により受信される。つまり、ユーザＡのＶｏＩＰ端末６０にＩＰ電話からの呼が着信する。
【００５７】
上述した第２実施形態によれば、着信先特定情報を含むコンタクトアドレスをＶｏＩＰサーバ３に登録するが、その着信先特定情報は、ＩＰ電話の着信呼に関し、その着信先のＩＰ電話加入者に対してＶｏＩＰパケットを転送する通信回線５０（物理回線）を特定可能な識別情報である。そして、ＩＰ電話の着信時において、ＶｏＩＰ網装置３０は、ＶｏＩＰサーバ３から通知されたコンタクトアドレス中の着信先特定情報に基づき、ＶｏＩＰパケットを転送する先の通信回線５０（物理回線）を特定することができる。
【００５８】
これにより、本実施形態に係るＶｏＩＰシステムによれば、ＶｏＩＰ網装置を網側に設け、さらに一グローバルＩＰアドレスを複数のＩＰ電話加入者間で共用することが可能となる。また、プライベートＩＰアドレスを用いるＩＰ網とグローバルＩＰアドレスを用いるＩＰ網との間でＩＰ電話の転送を行うことができる。
【００５９】
以上、本発明の実施形態を図面を参照して詳述してきたが、具体的な構成はこの実施形態に限られるものではなく、本発明の要旨を逸脱しない範囲の設計変更等も含まれる。
例えば、着信先特定情報によって通信網を特定してもよい。例えば、ＶＬＡＮ（仮想ローカルエリアネットワーク）によって、同一媒体上で、ＩＰをカプセル化することで同一のアドレスを付与した異なるＬＡＮを構成し、該ＶＬＡＮを介して電話端末を収容するシステムに適用した場合に、該ＶＬＡＮを着信先特定情報によって特定することができる。
【図面の簡単な説明】
【００６０】
【図１】本発明の第１実施形態に係るＶｏＩＰシステムの構成を示すブロック図である。
【図２】ユーザＤＢ４に記憶されるＩＰ電話加入者の登録情報の一例を示す図である。
【図３】本発明の第１実施形態に係るＶｏＩＰ網装置１の構成を示すブロック図である。
【図４】図１に示す本発明の第１実施形態に係るＶｏＩＰシステムにおけるシグナリングに係る動作を示すシーケンス図である。
【図５】本発明の第２実施形態に係るＶｏＩＰシステムの構成を示すブロック図である。
【図６】本発明の第２実施形態に係るＶｏＩＰ網装置３０の構成を示すブロック図である。
【図７】図５に示す本発明の第２実施形態に係るＶｏＩＰシステムにおけるシグナリングに係る動作を示すシーケンス図である。
【図８】従来のＶｏＩＰシステムの構成例を示すブロック図である。
【図９】従来のＶｏＩＰシステムにおけるシグナリングに係る動作を示すシーケンス図である。
【符号の説明】
【００６１】
１，３０…ＶｏＩＰ網装置、２，４０…ＩＰ網、３…ＶｏＩＰサーバ、４…ユーザデータベース（ユーザＤＢ）、５…電話加入者回線、、６…電話加入者宅内装置、１１，３２…ルータ、１２…アナログ−ＩＰ変換部、１３…交換部、１４…加入者回路、１５，３３…制御部、１６，３４…登録部、３１…ＩＰアドレス変換部、５０…通信回線、６０…ＶｏＩＰ端末。
【図１】
2006211481.tif 000003
【図２】
2006211481.tif 000004
【図３】
2006211481.tif 000005
【図４】
2006211481.tif 000006
【図５】
2006211481.tif 000007
【図６】
2006211481.tif 000008
【図７】
2006211481.tif 000009
【図８】
2006211481.tif 000010
【図９】
2006211481.tif 000011